【手続補正書】
【提出日】平成21年9月28日(2009.9.28)
【手続補正１】
【補正対象書類名】特許請求の範囲
【補正対象項目名】全文
【補正方法】変更
【補正の内容】
【特許請求の範囲】
【請求項１】
回転シャフト用の軸受アセンブリであって、
シャフトが配置される軸受と、
該軸受の周囲に備え付けられ、該軸受を径方向に支持する軸受支持体であって、軸受アセンブリのスクイズフィルム環を少なくとも部分的に画定する軸受支持体と、
前記軸受及び軸受支持体に結合され、軸受をスクイズフィルム環の中心に位置させるよう機能する少なくとも１つのセンタリング要素と、を備え、
該少なくとも１つのセンタリング要素は、前記軸受の周囲に径方向に間隔をおいた位置に設けられる複数のロードセルスプリングを備える回転シャフト用の軸受アセンブリ。
【請求項２】
前記少なくとも１つのセンタリング要素は、少なくとも１つのウェーブスプリングを備える請求項１に記載の回転シャフト用の軸受アセンブリ。
【請求項３】
前記少なくとも１つのウェーブスプリングは、実質的に軸受支持体を取り囲む請求項２に記載の回転シャフト用の軸受アセンブリ。
【請求項４】
前記少なくとも１つのセンタリング要素は、軸受支持体の周囲に間隔をおいた位置に配置される複数のビームスプリングを備える請求項１に記載の回転シャフト用の軸受アセンブリ。
【請求項５】
前記軸受支持体を取り囲むハウジングをさらに備え、各ビームスプリングは、前記ハウジングに対して設置される盛り上がった支持パッドを両端部に備えるとともに、前記軸受支持体に対して設置される盛り上がった反作用パッドを概ね中心に備える請求項４に記載の回転シャフト用の軸受アセンブリ。
【請求項６】
前記ビームスプリングは、前記軸受支持体の周囲に均一に分配される請求項４に記載の回転シャフト用の軸受アセンブリ。
【請求項７】
前記少なくとも１つのセンタリング要素は、前記軸受の周囲に径方向に間隔をおいた位置に設けられる複数のシリンダスプリングを備える請求項１に記載の回転シャフト用の軸受アセンブリ。
【請求項８】
前記シリンダスプリングは、前記軸受支持体の周囲に均一に分配される請求項７に記載の回転シャフト用の軸受アセンブリ。
【請求項９】
前記シリンダスプリングは、少なくとも一方の軸方向端部がテーパー状を有する請求項７に記載の回転シャフト用の軸受アセンブリ。
【請求項１０】
前記各ロードセルスプリングは、少なくとも１つのビームスプリング要素を備える請求項１に記載の回転シャフト用の軸受アセンブリ。
【請求項１１】
前記ビームスプリング要素は、その中に少なくとも１つの内部空間を画定する請求項１０に記載の回転シャフト用の軸受アセンブリ。
【請求項１２】
前記各ロードセルスプリングは、重なり合う複数のビームスプリング要素を備える請求項１に記載の回転シャフト用の軸受アセンブリ。
【請求項１３】
重なり合うビームスプリング要素の少なくとも１つは、その中に内部空間を画定する請求項１２に記載の回転シャフト用の軸受アセンブリ。
【請求項１４】
重なり合うビームスプリング要素は、各ビームスプリング要素の間に中間空間を画定する請求項１２に記載の回転シャフト用の軸受アセンブリ。
【請求項１５】
各ロードセルスプリングは、その中に少なくとも１つの内部空間を画定する本体を備える請求項１に記載の回転シャフト用の軸受アセンブリ。
【請求項１６】
回転シャフト用の軸受アセンブリであって、
シャフトが配置される軸受と、
該軸受の周囲に備え付けられ、該軸受を径方向に支持する軸受支持体であって、軸受アセンブリのスクイズフィルム環を少なくとも部分的に画定する軸受支持体と、
前記軸受支持体に結合され、軸受をスクイズフィルム環の中心に位置させるように軸受支持体を作用する複数のセンタリングスプリング要素であって、前記軸受支持体の周囲に間隔をおいた位置に配置される複数のセンタリングスプリング要素と、を備え、
少なくとも一つの前記センタリング要素は、前記軸受の周囲に径方向に間隔をおいた位置に設けられる複数のロードセルスプリングを備える回転シャフト用の軸受アセンブリ。
【請求項１７】
前記センタリングスプリング要素は、前記軸受支持体の周囲に均一な間隔をおいた位置に配置される複数のシリンダスプリングを備える請求項１６に記載の回転シャフト用の軸受アセンブリ。
【請求項１８】
各ロードセルスプリングは、少なくとも１つのビームスプリング要素を備える請求項１６に記載の回転シャフト用の軸受アセンブリ。
【請求項１９】
前記ビームスプリング要素は、その中に少なくとも１つの内部空間を画定する請求項１８に記載の回転シャフト用の軸受アセンブリ。
【請求項２０】
前記各ロードセルスプリングは、重なり合う複数のビームスプリング要素を備える請求項１６に記載の回転シャフト用の軸受アセンブリ。
【請求項２１】
前記重なり合うビームスプリング要素の少なくとも１つは、その中に内部空間を画定する請求項２０に記載の回転シャフト用の軸受アセンブリ。
【請求項２２】
前記重なり合うビームスプリング要素は、各ビームスプリング要素の間に中間空間を画定する請求項２０に記載の回転シャフト用の軸受アセンブリ。
【請求項２３】
前記各ロードセルスプリングは、その中に少なくとも１つの内部空間を画定する本体を備える請求項１６に記載の回転シャフト用の軸受アセンブリ。
【請求項２４】
スクイズフィルム環の中にターボ機関の軸受を配置する軸受配置方法であって、
回転シャフトが配置される軸受と、該軸受の周囲に設置されて該軸受を径方向に支持し、スクイズフィルム環を少なくとも部分的に画定する軸受支持体とを提供するステップと、
前記軸受支持体に結合され、軸受をスクイズフィルム環の中心に位置させるように軸受支持体を作用する複数のセンタリング要素であって、軸受支持体の周囲に間隔をおいた位置に配置される複数のセンタリング要素を提供するステップと、
スクイズフィルム環の中の軸受の位置を調整すべく、前記センタリング要素を個々に加工する又はシムするステップと、を備える軸受配置方法。
【請求項２５】
前記センタリング要素は、複数のロードセルスプリングを備える請求項２４に記載の軸受配置方法。
【請求項２６】
複数のセンタリング要素を与えるステップには、前記軸受支持体の周囲に均一な間隔をおいてロードセルスプリングを与えることを含む、請求項２５に記載の軸受配置方法。
【請求項２７】
各ロードセルスプリングは、少なくとも１つのビームスプリング要素を備える請求項２５に記載の軸受配置方法。
【請求項２８】
前記ビームスプリング要素は、その中に少なくとも１つの内部空間を画定する請求項２７に記載の軸受配置方法。
【請求項２９】
各ロードセルスプリングは、重なり合う複数のビームスプリング要素を備える請求項２５に記載の軸受配置方法。
【請求項３０】
重なり合うビームスプリング要素の少なくとも１つは、その中に内部空間を画定する請求項２９に記載の軸受配置方法。
【請求項３１】
重なり合うビームスプリング要素は、各ビームスプリング要素の間に中間空間を画定する請求項２９に記載の軸受配置方法。
【請求項３２】
各ロードセルスプリングは、その中に少なくとも１つの内部空間を画定する本体を備える請求項２５に記載の軸受配置方法。
【請求項３３】
前記センタリング要素は、複数のシリンダスプリングを備える請求項２４に記載の軸受配置方法。
【請求項３４】
前記センタリング要素はセンタリングスプリング要素を備え、前記軸受の周囲に径方向に間隔をおいて配置された位置のセンタリングスプリング要素に予荷重をかけることをさらに含む、請求項２４に記載の軸受配置方法。
【手続補正２】
【補正対象書類名】明細書
【補正対象項目名】０００５
【補正方法】変更
【補正の内容】
【０００５】
本発明に係る回転シャフト用の軸受アセンブリの一態様は、シャフトが配置される軸受と、該軸受の周囲に備え付けられ、該軸受を径方向に支持する軸受支持体であって、軸受アセンブリのスクイズフィルム環を少なくとも部分的に画定する軸受支持体と、前記軸受及び軸受支持体に結合され、軸受をスクイズフィルム環の中心に位置させるよう機能する少なくとも１つのセンタリング要素と、を備え、該少なくとも１つのセンタリング要素は、前記軸受の周囲に径方向に間隔をおいた位置に設けられる複数のロードセルスプリングを備える。
【手続補正３】
【補正対象書類名】明細書
【補正対象項目名】０００７
【補正方法】変更
【補正の内容】
【０００７】
他の態様では、前記少なくとも１つのセンタリング要素は、軸受支持体の周囲に間隔をおいた位置に配置される（即ち、径方向に間隔をおいて設けられる）複数のビームスプリングを備え得る。前記軸受アセンブリは、前記軸受支持体を取り囲むハウジングをさらに備え、各ビームスプリングは、前記ハウジングに対して設置される盛り上がった支持パッドを両端部に備えるとともに、前記軸受支持体に対して設置される盛り上がった反作用パッドを概ね中心に備え得る。前記ビームスプリングは、前記軸受支持体の周囲に均一に分配される。
【手続補正４】
【補正対象書類名】明細書
【補正対象項目名】０００８
【補正方法】変更
【補正の内容】
【０００８】
さらに他の態様では、前記少なくとも１つのセンタリング要素は、前記軸受の周囲に径方向に間隔をおいた位置に設けられるシリンダスプリングを備え得る。前記シリンダスプリングは、典型的には、前記軸受支持体の周囲に均一に分配される。前記シリンダスプリングは、少なくとも一方の軸方向端部がテーパー状を有し得る。
【手続補正５】
【補正対象書類名】明細書
【補正対象項目名】０００９
【補正方法】変更
【補正の内容】
【０００９】
さらに他の態様では、前記各ロードセルスプリングは、典型的には、少なくとも１つのビームスプリング要素を備え得る。前記ビームスプリング要素は、その中に少なくとも１つの内部空間を画定し得る。前記各ロードセルスプリングは、重なり合う複数のビームスプリング要素をさらに備え得る。重なり合うビームスプリング要素の少なくとも１つは、その中に内部空間を画定し得る。重なり合うビームスプリング要素は、各ビームスプリング要素の間に中間空間を画定し得る。各ロードセルスプリングは、その中に少なくとも１つの内部空間を画定する本体を備え得る。
【手続補正６】
【補正対象書類名】明細書
【補正対象項目名】００１０
【補正方法】変更
【補正の内容】
【００１０】
また他の態様の軸受アセンブリは、シャフトが配置される軸受と、該軸受の周囲に備え付けられ、該軸受を径方向に支持する軸受支持体であって、軸受アセンブリのスクイズフィルム環を少なくとも部分的に画定する軸受支持体と、前記軸受支持体に結合され、軸受をスクイズフィルム環の中心に位置させるように軸受支持体を作用する複数のセンタリングスプリング要素であって、前記軸受支持体の周囲に間隔をおいた位置に配置される複数のセンタリングスプリング要素と、を備え、少なくとも一つの前記センタリング要素は、前記軸受の周囲に径方向に間隔をおいた位置に設けられる複数のロードセルスプリングを備える。
【手続補正７】
【補正対象書類名】明細書
【補正対象項目名】００１１
【補正方法】変更
【補正の内容】
【００１１】
一つの態様では、前記センタリングスプリング要素は、前記軸受支持体の周囲に均一な間隔をおいた位置に配置される複数のシリンダスプリングを備える。他の態様では、前記各ロードセルスプリングは、典型的には、少なくとも１つのビームスプリング要素を備える。前記ビームスプリング要素は、その中に少なくとも１つの内部空間を画定し得る。前記各ロードセルスプリングは、重なり合う複数のビームスプリング要素をさらに備え得る。前記重なり合うビームスプリング要素の少なくとも１つは、その中に内部空間を画定し得る。前記重なり合うビームスプリング要素は、各ビームスプリング要素の間に中間空間を画定し得る。前記各ロードセルスプリングは、その中に少なくとも１つの内部空間を画定し得る。
【手続補正８】
【補正対象書類名】明細書
【補正対象項目名】００１２
【補正方法】変更
【補正の内容】
【００１２】
本発明は、他の側面においては、スクイズフィルム環の中にターボ機関の軸受を配置する軸受配置方法である。該軸受配置方法は、回転シャフトが配置される軸受と、該軸受の周囲に設置されて該軸受を径方向に支持し、スクイズフィルム環を少なくとも部分的に画定する軸受支持体とを提供するステップを含み得る。他のステップとしては、前記軸受支持体に結合され、軸受をスクイズフィルム環の中心に位置させるように軸受支持体を作用する複数のセンタリング要素であって、軸受支持体の周囲に間隔をおいた位置に配置される複数のセンタリング要素を提供するステップを含む。付加的なステップとしては、スクイズフィルム環の中の軸受の位置を調整するため、又は、センタリング要素の弾力性を改善すべく、予荷重を分与するために、前記センタリング要素を個々に加工する又はシムするステップを含む。
【手続補正９】
【補正対象書類名】明細書
【補正対象項目名】００１３
【補正方法】変更
【補正の内容】
【００１３】
一態様においては、前記センタリング要素は、軸受の周囲に径方向に間隔をおいた位置に設けられるシリンダスプリングを備える。他態様においては、前記センタリング要素は、軸受支持体の周囲に径方向に間隔をおいた位置に設けられるロードセルスプリングを備える。前記複数のセンタリング要素を与えるステップには、前記軸受の周囲に均一な間隔をおいてロードセルスプリングを与えることが含まれ得る。各ロードセルスプリングは、典型的には、少なくとも１つのビームスプリング要素を備える。前記ビームスプリング要素は、その中に少なくとも１つの内部空間を画定し得る。各ロードセルスプリングは、重なり合う複数のビームスプリング要素を備え得る。重なり合うビームスプリング要素の少なくとも１つは、その中に内部空間を画定し得る。重なり合うビームスプリング要素は、各ビームスプリング要素の間に中間空間を画定する。各ロードセルスプリングは、その中に少なくとも１つの内部空間を画定する本体を備え得る。従来技術と同様に、Ｏリングがスクイズフィルム環の中に流動性のシールとして用いられ得るが、従来技術と異なり、Ｏリングはフローティングスリーブ用の支持具としては機能しない。